(57)【特許請求の範囲】
【請求項１】
傘布に付着した水滴を除去する傘除水機において、
挿入孔に先端から挿入された閉じた状態の傘を収容する箱体と、
前記箱体の内部に設けられ前記傘の石突を保持する石突保持部と、
前記石突保持部を移動可能に支持する移動手段と、
前記石突保持部を前記挿入孔の方向に付勢する付勢手段と、
前記挿入孔に形成され前記傘の持ち手部又は中棒を載置する載置部と、
前記傘布に向けてエアーを噴出するエアー噴出部と、を有し、
前記付勢手段が、前記石突保持部を前記挿入孔の方向に引っ張るおもりであることを特徴とする傘除水機。
【請求項２】
前記箱体内に収容された前記傘の中心軸と前記エアー噴出部から噴出されたエアーの流れ方向とが略平行となることを特徴とする請求項１に記載の傘除水機。
【請求項３】
前記エアー噴出部から噴出されたエアーの流れ中心と前記傘の中心軸との距離が、前記箱体内における前記傘の中心軸の少なくとも一部で１００ｍｍ以下であることを特徴とする請求項１または２に記載の傘除水機。
【請求項４】
前記エアー噴出部から噴出されたエアーの流れ中心と前記傘の中心軸との距離が、前記箱体内における前記傘の中心軸の略全範囲にわたって１００ｍｍ以下であることを特徴とする請求項１から請求項３のうちいずれか１項に記載の傘除水機。
【発明の詳細な説明】
【技術分野】
【０００１】
本発明は傘布に付着した水滴をエアーで除去する傘除水機に関するものである。
【背景技術】
【０００２】
近年、傘布に付着した水滴をエアーで除去する傘除水機が利用されている。雨の日に建物の中に入る際に傘除水機を利用すれば、建物内で傘から水滴が垂れにくくなり、大変便利である。
【０００３】
このような傘除水機は、エアーを噴出するノズルを装置内に有し、そのノズルから噴出されたエアーを閉じた状態の傘の傘布表面に吹き付けて水滴を除去する。しかし、ノズルから噴出されるエアーに対して、傘の位置が近すぎたり遠すぎたりすると、傘布表面に十分にエアーが吹き付けられず、傘布に水滴が残ってしまう場合がある。
【０００４】
水滴の除去に適切な位置に傘を配置するために、特許文献１に開示のものは、傘の両端である石突側と手元側を保持する保持溝を設けている。保持溝で傘の両端を保持することで、装置内において傘を適切な位置に位置決めしている。
【０００５】
【特許文献１】特開平４-２８９９１号公報
【発明の開示】
【発明が解決しようとする課題】
【０００６】
このような傘除水機では、適切な位置に位置決めして水滴の除去処理ができる傘の長さが保持溝の間隔で決まってしまう。傘が保持溝の間隔よりも長すぎれば、保持溝に傘を保持させることができず、除水機自体の使用が困難となる。また、子供用の傘のように傘全体の長さ（手元と石突との間隔）が短い傘の場合、保持溝で傘の両端を保持することができないため、適切な位置に傘を配置することが難しく、十分に除水性能を発揮できず傘布に水滴が残ってしまう場合がある。
【０００７】
本発明は、上述の課題を解決するためになされたものであり、傘の長さにかかわらず使用可能であり、良好な除水性能を発揮することができる傘除水機を得ることを目的とする。
【課題を解決するための手段】
【０００８】
上記課題を解決するために本発明の傘除水機は、傘布に付着した水滴を除去する傘除水機において、挿入孔に先端から挿入された閉じた状態の傘を収容する箱体と、箱体の内部に設けられ傘の石突を保持する石突保持部と、石突保持部を移動可能に支持する移動手段と、石突保持部を挿入孔の方向に付勢する付勢手段と、挿入孔に形成され傘の持ち手部又は中棒を載置する載置部と、傘布に向けてエアーを噴出するエアー噴出部と、を有する。
【発明の効果】
【０００９】
本発明によれば、載置部と石突保持部で傘の両端を支持するとともに、石突保持部を移動可能とすることで、様々な長さの傘でも使用可能であり、良好な除水性能を発揮する傘除水機が得られる。
【発明を実施するための最良の形態】
【００１０】
実施の形態１．
図１は、本発明の実施の形態１に係る傘除水機の外観斜視図である。図２は、傘除水機の横断面図である。傘除水機２は、箱体４、ブロワ（送風手段）８を有して大略構成されている。
【００１１】
傘除水機２によって水滴を除去される傘２０は、例えば、中棒２０ａ、手元（持ち手部）２０ｂ、石突２０ｃ、親骨２０ｄ、傘布２０ｅを有して構成される。中棒２０ａは、その両端に手元２０ｂと石突２０ｃとが取り付けられて、傘２０の中心に位置する軸部材である。手元２０ｂは傘２０の利用者が持つ持ち手部分である。石突２０ｃは、傘２０の先端に取り付けられて傘布２０ｅをまとめる機能を有する。親骨２０ｄは中棒２０ａの石突２０ｃ近傍に複数本軸支されている。傘布２０ｅは親骨２０ｄの間を覆う布状の部材である。親骨２０ｄの先端（自由端）側を露先２０ｆという。なお、傘の開閉機構等についての詳細な説明は省略する。本願において、傘布２０ｅのおもて面とは、傘２０を差した場合に雨を受ける面のことであり、傘２０を閉じた状態においては外側を向く面のことである。
【００１２】
箱体４は、傘除水機２の全体を覆う筐体としての機能を有する。箱体４は、薄板上の板金等で構成され、その天板４ａに傘２０を先端（石突２０ｃ）側から挿入可能な挿入孔２２が形成されている。挿入孔２２は斜め上方を向く開口となっており、傘２０を斜めに挿入できるようになっている。挿入孔２２の下端には切込み（載置部）４ｃが形成されている。切込み４ｃには、挿入孔２２に挿入された傘２０の手元２０ｂが回転可能に載置される。
【００１３】
箱体４には、後に詳説するブロワ８を運転・停止するための運転スイッチ（図示せず）、停止スイッチ（図示せず）が設けられている。箱体４の内部は、隔壁４ｂで区切られて、除水室１４、排水室１６、送気室１８を有して構成されている。
【００１４】
除水室１４は、挿入孔２２に先端から挿入された閉じた状態の傘２０を収容し、傘布２０ｅに付着した水滴を除去するための空間である。
【００１５】
図３は、傘除水機２の横断面図であって石突入れ２４の動きを説明するための図である。図４は、図３のＢ−Ｂ線に沿う矢視断面図である。除水室１４の内側面には傘用ガイドレール１４ａが対向して設けられている。傘用ガイドレールはノズル２８（後述）から噴出されるエアーの流れ方向（矢印Ｘの方向）と略平行となるように延びている。
【００１６】
対向して設けられた傘用ガイドレール１４ａには、それぞれスライダー（移動手段）１５が取り付けられている。スライダー１５は、傘用ガイドレール１４ａに沿って移動可能になっている。スライダー１５は、連結部材（移動手段）１７によって連結されており、２つのスライダー１５と連結部材とが一体となって移動する。
【００１７】
除水室１４（箱体４）の内部には石突入れ（石突保持部）２４が設けられている。石突入れ２４は、挿入孔２２から挿入された傘２０の石突２０ｃを収容して回転可能に保持する。石突入れ２４は連結部材１７上に固定（支持）されており、スライダー１５、連結部材１７とともに傘用ガイドレール１４ａに沿った方向に移動可能となっている。石突入れ２４が移動する軌跡の略延長線上に挿入孔２２が位置するようになっている。したがって、挿入孔２２から挿入されて切込み４ｃと石突入れ２４とで支持される傘２０の中心軸２０ｇは、傘２０の長さにかかわらずノズル２８から噴出されるエアーの流れ方向（矢印Ｘの方向）と平行となる。したがって、傘２０の長さにかかわらず中心軸２０ｇとエアーの流れとの距離を略一定にすることができ、傘２０の長さによる除水性能の変動を抑えることができる。
【００１８】
傘２０の中心軸２０ｇとノズル２８から噴出されるエアーの流れ中心２９との距離Ｐは１００ｍｍ以下となっている。傘２０の中心軸２０ｇと露先２０ｆとの距離はほとんどの傘で１００ｍｍ以上となっているため、傘２０の中心軸２０ｇの略全範囲にわたって距離Ｐを１００ｍｍ以下とすることで、傘布２０ｅ全体にエアーを吹き付けることができ、良好な除水性能を得ることができる。
【００１９】
なお、傘２０の中心軸２０ｇの一部でエアーの流れ中心２９との距離が１００ｍｍ以下となっていれば、傘布２０ｅにエアーを吹き付けることができるため良好な除水性能を得ることができる。例えば、石突２０ｃ近傍における中心軸２０ｇとエアーの流れ中心２９との距離Ｐ１が１００ｍｍ以下となっていない場合であっても、露先２０ｆ近傍における中心軸２０ｇとエアーの流れ中心２９との距離Ｐ２が１００ｍｍ以下となっていればよい。特に、石突２０ｃの先端から露先２０ｆまでの距離Ｑはほとんどの傘で８００ｍｍ以下となっているため、箱体４の天板４ａから８００ｍｍの範囲で、エアーの流れ中心２９からの距離が１００ｍｍ以下の部分が傘２０の中心軸２０ｇにあれば良好な除水性能を得ることができる。
【００２０】
本実施の形態１においては、傘２０の中心軸２０ｇとエアーの流れ方向（矢印Ｘの方向）とが平行であるため、箱体４内における傘２０の中心軸２０ｇの略全範囲で距離Ｐは１００ｍｍ以下となっている。したがって、石突２０ｃから露先２０ｆまでの全域で傘布２０ｅにエアーを吹き付けることができ、より良好な除水性能を得ることができる。
【００２１】
なお、距離Ｑが８００ｍｍ以下の傘２０であれば、中心軸２０ｇとエアーの流れ中心２９とのなす角度が７度以下とすることで、箱体４内における傘２０の中心軸２０ｇの略全範囲にわたって距離Ｐを１００ｍｍ以下とすることができる。
【００２２】
石突入れ２４に向けて傘２０が斜めに挿入されるので、石突２０ｃが石突入れ２４に保持された後、利用者が手元２０ｂから手を離せば、挿入孔２２の下端に形成された切込み４ｃに手元２０ｂが自然に載置され、斜めに支持される。したがって、特別な操作をすることなく簡単に水滴の除去に適した位置に傘２０を置くことができる。なお、本実施の形態１では、手元２０ｂを切込み４ｃで支持しているが、中棒２０ａを切込み４ｃで支持してもよい。
【００２３】
除水室１４の内側面にはおもり用ガイドレール１４ｂが対向して設けられている。おもり用ガイドレール１４ｂは略鉛直に延びるように設けられている。おもり用ガイドレール１４ｂにはおもり（付勢手段）１９が取り付けられ、おもり用ガイドレール１４ｂに沿って移動可能となっている。おもり用ガイドレール１４ｂが鉛直に延びるように設けられているので、おもり１９は自重により下方に向かって移動する。除水室１４の内側面であって傘用ガイドレール１４ａの延長線とおもり用ガイドレール１４ｂの延長線との交点近傍には滑車１４ｃが回転自在に取り付けられている。
【００２４】
スライダー１５とおもり１９とがケーブル２３を介して連結されている。また、ケーブル２３は滑車１４ｃに支持されている。したがって、おもり１９の動きとスライダー１５の動きは連動するようになっており、例えば、おもり１９が下方に移動すれば、スライダー１５は挿入孔２２に向かって（矢印Ｙの方向）移動するようになっている。
【００２５】
おもり１９の重さは、除水室１４内に傘２０が収容されていない状態において、おもり１９がスライダー１５を挿入孔２２の方向に引っ張って（付勢して）矢印Ｙの方向に移動させるように調節されている。つまり、スライダー１５の自重や連結部材１７、石突入れ２４の重さ等により傘用ガイドレール１４ａに沿ってスライダー１５が斜め下方（矢印Ｚの方向）に移動しようとする力よりも、おもり１９の自重によりおもり１９が下方に移動しようとする力の方が大きくなるように調節されている。スライダー１５が移動することで、連結部材１７と石突入れ２４も矢印Ｙの方向に移動する。石突入れ２４の底面２４ａが傘の石突２０ｃ等で押し込まれれば、おもり１９による付勢力に抗して石突入れ２４が押し下げられる。なお、おもり１９の重さは、傘２０が露先２０ｆまで挿入された状態において、石突入れ２４が矢印Ｙの方向に自然に移動してしまうことのない重さに調節されている。
【００２６】
除水室１４と送気室１８との間の隔壁４ｂにはノズル（エアー噴出部）２８が形成されている。ノズル２８は除水室１４と送気室１８とを連通させる楕円形の開口を構成する。送気室１８内のブロワ８（後に詳説。）から吐出されたエアーがノズル２８を介して除水室１４内に噴出されるようになっている。
【００２７】
ノズル２８はブロワ８から吐出されたエアーを傘２０の石突２０ｃ側から噴出し、石突２０ｃ側から露先２０ｆ側に向くエアーの流れ（矢印Ｘの流れ。）を発生させ、傘布２０ｅにエアーを吹き付ける。ノズル２８から噴出されたエアーは、傘布２０ｅのおもて面に付着した水滴を吹き飛ばしながら（除去しながら）石突２０ｃ側から露先２０ｆ側に向かって流れる。
【００２８】
排水室１６は、エアーによって吹き飛ばされた水滴を一時的に溜めておく。排水室１６内には排水タンク３２が配置されている。除水室１４と排水室１６との間の隔壁４ｂには排水口４ｄが形成されており、除水室１４と排水室１６との間の隔壁４ｂは排水口４ｄに向けて傾斜している。ノズル２８から噴出されたエアーによって傘布２０ｅから吹き飛ばされた水滴は隔壁４ｂ上に落下し、排水口４ｄに向けて流下する。排水口４ｄに向けて流下した水滴は、排水口４ｄから排水タンク３２に向けて落下する。排水タンク３２に水が溜まった場合には、排水タンクを取り出して溜まった水を捨てることができる。本実施の形態１においては、傘布２０ｅから吹き飛ばされた水滴を排水タンク３２に一旦溜めているが、排水室１６に配管を接続し、水滴を溜めることなく排水できるようにしてもよい。排水タンク３２に溜まった水をわざわざ捨てる必要がなくなり便利である。
【００２９】
図５は、図２のＡ−Ａ線に沿う矢視断面図である。送気室１８は、エアーを取り込むとともに、取り込んだエアーをノズル２８から噴出させるための空間である。送気室１８は吸込風路３４とブロワ収容室３６とを有して構成されている。吸込風路３４とブロワ収容室３６との間は間仕切り１８ａで隔てられている。
【００３０】
吸込風路３４にはエアー取込口３８が形成されている。エアー取込口３８を介して吸込風路３４と傘除水機２の外部とがつながっている。ブロワ８が運転状態となると、ブロワ８の作用により吸込風路３４内が負圧となり、エアー取込口３８から外気（エアー）が取り込まれる。エアー取込口３８はエアーフィルタ（集塵手段）４０で覆われている。エアーフィルタ４０はエアー取込口３８から取り込まれるエアーからゴミ等の異物を取り除き、傘除水機２内部の汚れや機器の故障を防止する。吸込風路３４の内側には吸音材４３が貼り付けられている。吸音材４３は、吸込風路３４を通過するエアーによって生じる騒音が外部に漏れるのを抑える。
【００３１】
ブロワ収容室３６は、ブロワ８を収容し、エアー取込口３８から取り込まれたエアーをノズル２８から噴出させる。間仕切り１８ａには連通口１８ｂが形成されている。連通口１８ｂを介してブロワ収容室３６と吸込風路３４とがつながっている。
【００３２】
ブロワ８は、パッキン４４と防振部材４６とによって挟持されてブロワ収容室３６内に収容されている。ブロワ８の吸込口４２が連通口１８ｂに対してパッキン４４を介して接続され、吸込口４２の反対側が防振部材４６を介してブロワ収容室３６の内壁に固定されている。吸込口４２がパッキン４４を介して連通口１８ｂに接続されているので、吸込口４２と連通口１８ｂとの隙間からのエアー漏れを低減することができる。また、ブロワ８の運転による振動を、パッキン４４及び防振部材４６によって吸収するので、箱体４に振動が伝わるのを防止し、騒音の発生を抑制することができる。
【００３３】
ブロワ８は、利用者によって運転スイッチが押されると運転状態となる。ブロワ８が運転状態となると、ブロワ８の内部に保持されたファン（図示せず。）が回転し、吸込口４２からエアーが吸い込まれる。吸込口４２から吸込まれたエアーはブロワ収容室３６に開放された吐出口（図示せず。）からブロワ収容室３６内に吐出される。ブロワ８から吐出されるエアーの量に比べてノズル２８の開口面積が狭いためからノズル２８からエアーが勢いよく噴出される。
【００３４】
次に、傘除水機２の動作手順について説明する。傘除水機２の利用者が、箱体４に形成された挿入孔２２に閉じた状態の傘２０を挿入する。利用者が傘２０の石突２０ｃを石突入れ２４に収めるとともに、石突入れ２４の底面２４ａを石突２０ｃで押し込み、傘２０の露先２０ｆが除水室１４内に収容されるまで石突入れ２４を押し下げる。利用者が傘２０から手を離すと手元２０ｂが切込み４ｃに載置される。手元２０ｂが切込み４ｃに載置されると、石突入れ２４と切込み４ｃとで除水室１４内の傘２０が位置決めされ斜めに支持される。利用者が運転スイッチを押すとブロワ８が運転状態となる。ブロワ８が運転状態となると、吸込口４２及び吸込風路３４を介して吸込口４２からエアーが吸込まれる。吸込口４２から吸込まれたエアーは、吐出口からブロワ収容室３６に吐出される。吐出口から吐出されたエアーは、隔壁４ｂに形成されたノズル２８から除水室１４に噴出される。
【００３５】
ノズル２８から除水室１４に噴出されたエアーは傘２０の石突２０ｃ側から露先２０ｆ側に向くエアーの流れ（矢印Ｘの流れ）を形成し、傘布２０ｅのおもて面に付着した水滴を吹き飛ばす。挿入孔２２から箱体４の外部に突出している傘２０の手元２０ｂを回転させることで、傘布２０ｅ全体に付着した水滴をエアーで吹き飛ばすことができる。切込み４ｃと石突入れ２４とで傘を位置決めして支持しているので、傘２０を回転させても傘２０の中心軸２０ｇの方向等はほとんど変化せず、良好な除水生能を維持できる。
【００３６】
石突入れ２４は矢印Ｙの方向に付勢されているので、石突き２０ｃとの密着がよい。したがって、除水室１４内に傘２０が収容されている間に石突き入れ２４から石突２０ｃが外れにくくなっている。水滴の除去が終了したら、停止スイッチを押してブロワ８を停止して傘２０を除水室１４から取り出す。
【００３７】
除水室１４から傘２０が取り出される際に、石突入れ２４から石突２０ｃが退避するため、石突入れ２４を押し下げていた力もなくなる。石突入れ２４を押し下げていた力がなくなると、石突入れ２４はおもり１９に引っ張られて挿入孔２２の方向（矢印Ｙの方向）に移動し、傘２０が挿入される前の位置に自動的に復帰する。
【００３８】
以上の構成によれば、除水室１４内に収容される傘２０の長さに応じて石突入れ２４の位置を移動させることができる。したがって、除水室１４内に収容される傘の長さに応じて切込み４ｃと石突入れ２４との距離を変更することができ、様々な長さの傘であっても切込み４ｃと石突入れ２４とで支持し、位置決めすることができる。また、エアーの流れ方向と傘２０の中心軸２０ｇとが平行であるので、傘の長さにかかわらず水滴の除去に適した位置に傘２０を配置することができる。
【００３９】
傘２０を挿入孔２２から除水室１４内に押し込めば石突入れ２４が矢印Ｚの方向に移動し、傘２０を除水室１４から取り出せば石突入れ２４が自然に元の位置に復帰するため、利用者にとって特別な操作が不要な便利なものとなる。さらに、石突入れ２４の移動に電気的な装置を使用しておらず、消費電力の抑制や製造コストの抑制を図ることができる。
【００４０】
なお、本実施の形態１では、スライダー１５のそれぞれにおもり１９が連結されているが、いずれか一方のスライダー１５にだけおもり１９が連結されているものであってもよい。おもり１個の重量は増すが、部品点数の削減により製造コストの低減等を図ることができる。
【００４１】
実施の形態２．
図６は、本発明の実施の形態２に係る傘除水機２の横断面図である。実施の形態１のものと同じ部分については、実施の形態１のものと同じ符号を用い、それらについての説明は省略する。本実施の形態２に係る傘除水機２のおもり用ガイドレール１４ｂは斜めに傾いて設けられている。また、滑車１４ｃが片面に２個取り付けられて、石突入れ２４とおもり１９の移動を円滑なものにしている。
【００４２】
おもり用ガイドレール１４ｂが斜めに傾いて設けられているため、除水室１４の高さが制約されても、おもり１９の可動距離を十分にとることができる。したがって、傘除水機２を高さ方向において、よりコンパクト化することができる。
【００４３】
実施の形態３．
図７は、本発明の実施の形態３に係る傘除水機２の横断面図である。実施の形態１のものと同じ部分については、実施の形態１のものと同じ符号を用い、それらについての説明は省略する。本実施の形態３に係る傘除水機２の除水室１４内側面にはドラム１４ｄがとりつけられ、ドラム１４ｄには定荷重ばね（ばね）（付勢手段）１４ｅが巻き付けられている。
【００４４】
定荷重ばね１４ｅの先端がケーブル２３を介してスライダー１５と連結され、ケーブル２３が滑車１４ｃに支持されている。定荷重ばね１４ｅは一定のトルクでドラム１４ｄに巻き取られるようになっており、定荷重ばね１４ｅの先端とケーブル２３を介して連結されたスライダー１５は定荷重ばね１４ｅに付勢されて挿入孔２２に方向（矢印Ｘの方向）に移動する。スライダー１５の移動に伴って、石突入れ２４が実施の形態１と同様に挿入孔２２に方向（矢印Ｘの方向）に移動する。つまり、定荷重ばね１４ｅの作用により石突入れ２４が挿入孔２２の方向に付勢される。
【００４５】
石突入れ２４の移動にばねの力を付勢力として用いているため、本実施の形態３においても電気的な装置が不要である。したがって、消費電力の抑制や製造コストの抑制を図ることができる。
【図面の簡単な説明】
【００４６】
【図１】本発明の実施の形態１に係る傘除水機の外観斜視図である。
【図２】傘除水機の横断面図である。
【図３】傘除水機の横断面図であって石突入れの動きを説明するための図である。
【図４】図３のＢ−Ｂ線に沿う矢視断面図である。
【図５】図２のＡ−Ａ線に沿う矢視断面図である。
【図６】本発明の実施の形態２に係る傘除水機の横断面図である。
【図７】本発明の実施の形態３に係る傘除水機の横断面図である。
【符号の説明】
【００４７】
Ｘ  エアーの流れ方向
Ｙ  石突入れが挿入孔に向かって移動する方向
Ｚ  石突入れが斜め下方に移動する方向
Ｐ，Ｐ１，Ｐ２，Ｑ  距離
２  傘除水機
４  箱体
４ａ  天板
４ｂ  隔壁
４ｃ  切込み（載置部）
４ｄ  排水口
８  ブロワ（送風手段）
１４  除水室
１４ａ  傘用ガイドレール
１４ｂ  おもり用ガイドレール
１４ｃ  滑車
１４ｄ  ドラム
１４ｅ  定荷重ばね（ばね）（付勢手段）
１５  スライダー（移動手段）
１６  排水室
１７  連結部材（移動手段）
１８  送気室
１８ａ  間仕切り
１８ｂ  連通口
１９  おもり（付勢手段）
２０  傘
２０ａ  中棒
２０ｂ  手元（持ち手部）
２０ｃ  石突
２０ｄ  親骨
２０ｅ  傘布
２０ｆ  露先
２０ｇ  中心軸
２２  挿入孔
２３  ケーブル
２４  石突入れ（石突保持部）
２８  ノズル（エアー噴出部）
２９  流れ中心
３２  排水タンク
３４  吸込風路
３６  ブロワ収容室
３８  エアー取込口
４０  エアーフィルタ（集塵手段）
４２  吸込口
４３  吸音材
４４  パッキン
４６  防振部材
【図１】
0005142794.tif 000002
【図２】
0005142794.tif 000003
【図３】
0005142794.tif 000004
【図４】
0005142794.tif 000005
【図５】
0005142794.tif 000006
【図６】
0005142794.tif 000007
【図７】
0005142794.tif 000008